(57)【要約】【課題】誤報を防止することができ、必要なときに容易に警備解除できる利便性の高い警備装置および警備方法を提供する。【解決手段】検知領域の異常を検知するセンサ１０１を備え、センサが異常を検知した場合にネットワーク３００で接続された監視センタ２００に警報を送信する警備装置１００において、機器情報取得部１０５は、機器が稼動中である旨を示す稼動情報および機器ＩＤを取得し、検知情報取得部１０３は、センサ１０１が送出する検知情報およびセンサＩＤを取得し、送受信部１０７は、稼動情報が取得された場合で、かつ、検知情報およびセンサＩＤが取得され、取得されたセンサＩＤが対応データベース１０９に記憶された機器ＩＤに対応するセンサＩＤと一致する場合に、警報を送信しない。【選択図】        図１
2009015444.tif 000002
【特許請求の範囲】
【請求項１】
機器と第１のネットワークで接続され、検知領域に設けられたセンサが異常を検知した場合に第２のネットワークで接続された通報先に警報を送信する警備装置において、
前記検知領域に設けられた機器を識別する機器識別情報と、前記センサを識別するセンサ識別情報とを対応付けて記憶する記憶手段と、
前記機器が稼動中である旨を示す機器稼動情報および前記機器識別情報を前記機器から取得する機器稼動情報取得手段と、
前記センサが送出する検知情報および前記センサ識別情報を取得する検知情報取得手段と、
前記機器稼動情報取得手段によって前記機器稼動情報が取得された場合で、かつ、前記検知情報取得手段によって前記検知情報および前記センサ識別情報が取得され、取得された前記センサ識別情報が前記機器稼動情報取得手段によって取得された前記機器識別情報に対応する前記記憶手段に記憶された前記センサ識別情報と一致するか否かを判断し、一致する場合に、前記検知情報に基づいた警報を送信しない警報送信手段と、
を備えることを特徴とする警備装置。
【請求項２】
前記警報送信手段は、前記機器稼動情報取得手段によって前記機器稼動情報が取得されなくなった場合で、かつ、前記検知情報取得手段によって前記検知情報が取得された場合は、前記検知情報に基づいた警報を前記通報先に送信すること、を特徴とする請求項１に記載の警備装置。
【請求項３】
機器と第１のネットワークで接続され、検知領域に設けられたセンサが異常を検知した場合に第２のネットワークで接続された通報先に警報を送信する警備装置において、
警備対象を１または複数に区切った領域を示す警備領域と、前記検知領域に設けられた機器を識別する機器識別情報とを対応付けて記憶する記憶手段と、
利用者による、前記警備領域ごとに、前記センサが異常を検知した場合に前記通報先に警報を送信する状態を示す警備モード、または前記センサが異常を検知した場合に前記通報先に警報を送信しない状態を示す警備解除モードのいずれかの設定を取得する警備状態取得手段と、
前記機器が稼動中である旨を示す機器稼動情報および前記機器識別情報を前記機器から取得する機器稼動情報取得手段と、
前記警備領域ごとに、前記警備解除モードまたは前記警備モードのいずれかに切替える警備状態切替手段と、を備え、
前記警備状態切替手段は、前記警備状態取得手段によって前記警備領域に対して前記警備モードが取得された場合で、かつ、前記機器稼動情報取得手段によって前記機器稼動情報および前記機器識別情報を取得し、取得された前記機器稼動情報および前記機器識別情報により前記記憶手段に記憶された前記警備領域に対応する前記機器識別情報が示す前記機器が稼動していると判断した場合は、前記警備解除モードから前記警備モードに切替えないこと、
を特徴とする警備装置。
【請求項４】
前記警備状態切替手段によって前記警備解除モードから前記警備モードに切替えない場合に、前記警備モードへの切替えは不可である旨を報知する報知手段、をさらに備えることを特徴とする請求項３に記載の警備装置。
【請求項５】
機器と第１のネットワークで接続され、検知領域に設けられたセンサが異常を検知した場合に第２のネットワークで接続された通報先に警報を送信する警備装置において、
警備対象を１または複数に区切った領域を示す警備領域と、前記検知領域に設けられた機器を識別する機器識別情報とを対応付けて記憶する記憶手段と、
前記機器が稼動中である旨を示す機器稼動情報および前記機器識別情報を前記機器から取得する機器稼動情報取得手段と、
前記警備領域ごとに、前記センサが異常を検知した場合に前記通報先に警報を送信する状態を示す警備モードまたは前記センサが異常を検知した場合に前記通報先に警報を送信しない状態を示す警備解除モードのいずれかに切替える警備状態切替手段と、を備え、
前記警備状態切替手段は、前記機器稼動情報取得手段によって前記機器稼動情報および前記機器識別情報が取得された場合で、かつ、取得された前記機器識別情報が前記記憶手段に記憶されている場合は、前記機器識別情報に対応する前記記憶手段に記憶された前記警備領域の警備状態を前記警備モードから前記警備解除モードに設定すること、
を特徴とする警備装置。
【請求項６】
前記警備状態切替手段は、前記機器稼動情報取得手段によって前記機器稼動情報が取得されなくなった場合は、前記警備領域の警備状態を前記警備解除モードから前記警備モードに切替えること、を特徴とする請求項５に記載の警備装置。
【請求項７】
機器と第１のネットワークで接続され、検知領域に設けられたセンサが異常を検知した場合に第２のネットワークで接続された通報先に警報を送信する警備装置において、
前記センサを識別するセンサ識別情報と、前記センサが設けられている警備領域に設けられた機器を識別する機器識別情報とを対応付けて記憶する記憶手段と、
前記センサが送出した検知情報および前記センサ識別情報を取得する検知情報取得手段と、
前記機器が稼動中である旨を示す機器稼動情報および前記機器識別情報を前記機器から取得する機器稼動情報取得手段と、
前記検知情報取得手段によって前記検知情報および前記センサ識別情報が取得された場合で、かつ、前記検知情報取得手段によって取得された前記センサ識別情報に対応する前記記憶手段に記憶された前記機器識別情報に応じた前記機器稼動情報を、前記検知情報を取得してから所定時間内に取得した場合に、警報を前記通報先に送信しない警報送信手段と、
を備えることを特徴とする警備装置。
【請求項８】
前記警備領域ごとに、前記センサが異常を検知した場合に前記通報先に警報を送信する状態を示す警備モードまたは前記センサが異常を検知した場合に前記通報先に警報を送信しない状態を示す警備解除モードのいずれかに切替える警備状態切替手段と、をさらに備え、
前記警備状態切替手段は、前記検知情報取得手段によって前記検知情報および前記センサ識別情報が取得された場合で、かつ、前記検知情報取得手段によって取得された前記センサ識別情報に対応する前記記憶手段に記憶された前記機器識別情報に応じた前記機器稼動情報を、前記検知情報取得手段によって前記検知情報を取得してから所定時間内に取得した場合に、前記警備領域の警備状態を前記警備モードから前記警備解除モードに切替えること、を特徴とする請求項７に記載の警備装置。
【請求項９】
前記警備状態切替手段は、前記機器稼動情報取得手段によって前記機器稼動情報が取得されなくなった場合は、前記警備領域の警備状態を前記警備解除モードから前記警備モードに切替えること、を特徴とする請求項８に記載の警備装置。
【請求項１０】
前記機器識別情報で示す前記機器が、前記警備領域の出入口近傍に設けられ、点灯または消灯のいずれかを指示するスイッチを備える照明機器であること、を特徴とする請求項７〜９のいずれか一つに記載の警備装置。
【請求項１１】
機器と第１のネットワークで接続され、検知領域に設けられたセンサが異常を検知した場合に第２のネットワークで接続された通報先に警報を送信する警備装置で実行される警備方法において、
機器稼動情報取得手段によって、前記機器が稼動中である旨を示す機器稼動情報および前記機器識別情報を前記機器から取得する機器稼動情報取得ステップと、
検知情報取得手段によって、前記センサが送出する検知情報および前記センサ識別情報を取得する検知情報取得ステップと、
警報送信手段によって、前記機器稼動情報取得ステップによって前記機器稼動情報が取得された場合で、かつ、前記検知情報取得ステップによって前記検知情報および前記センサ識別情報が取得され、取得された前記センサ識別情報が前記機器稼動情報取得ステップによって取得された前記機器識別情報に対応する、前記検知領域に設けられた機器を識別する機器識別情報と前記センサを識別するセンサ識別情報とを対応付けて記憶する記憶手段に記憶された前記センサ識別情報と一致するか否かを判断し、一致する場合に、前記検知情報に基づいた警報を送信しない警報送信ステップと、
を有することを特徴とする警備方法。
【請求項１２】
機器と第１のネットワークで接続され、検知領域に設けられたセンサが異常を検知した場合に第２のネットワークで接続された通報先に警報を送信する警備装置で実行される警備方法において、
警備状態取得手段によって、前記警備領域ごとに、前記センサが異常を検知した場合に前記通報先に警報を送信する状態を示す警備モード、または前記センサが異常を検知した場合に前記通報先に警報を送信しない状態を示す警備解除モードのいずれかの設定を取得する警備状態取得ステップと、
機器稼動情報取得手段によって、前記機器が稼動中である旨を示す機器稼動情報および前記機器識別情報を前記機器から取得する機器稼動情報取得ステップと、
警備状態切替手段によって、前記警備領域ごとに、前記警備解除モードまたは前記警備モードのいずれかに切替える警備状態切替ステップと、を有し、
前記警備状態切替ステップは、前記警備状態取得ステップによって前記警備領域に対して前記警備モードが取得された場合で、かつ、前記機器稼動情報取得ステップによって前記機器稼動情報および前記機器識別情報を取得し、取得された前記機器稼動情報および前記機器識別情報により、警備対象を１または複数に区切った領域を示す警備領域と前記検知領域に設けられた機器を識別する機器識別情報とを対応付けて記憶する記憶手段に記憶された前記警備領域に対応する前記機器識別情報が示す前記機器が稼動していると判断した場合は、前記警備解除モードから前記警備モードに切替えないこと、
を特徴とする警備方法。
【請求項１３】
機器と第１のネットワークで接続され、検知領域に設けられたセンサが異常を検知した場合に第２のネットワークで接続された通報先に警報を送信する警備装置で実行される警備方法において、
機器稼動情報取得手段によって、前記機器が稼動中である旨を示す機器稼動情報および前記機器識別情報を前記機器から取得する機器稼動情報取得ステップと、
警備状態切替手段によって、前記警備領域ごとに、前記センサが異常を検知した場合に前記通報先に警報を送信する状態を示す警備モードまたは前記センサが異常を検知した場合に前記通報先に警報を送信しない状態を示す警備解除モードのいずれかに切替える警備状態切替ステップと、を有し、
前記警備状態切替ステップは、前記機器稼動情報取得ステップによって前記機器稼動情報および前記機器識別情報が取得された場合で、かつ、取得された前記機器識別情報が、警備対象を１または複数に区切った領域を示す警備領域と前記検知領域に設けられた機器を識別する機器識別情報とを対応付けて記憶する記憶手段に記憶されている場合は、前記機器識別情報に対応する前記記憶手段に記憶された前記警備領域の警備状態を前記警備モードから、前記警備解除モードに設定すること、
を特徴とする警備方法。
【請求項１４】
機器と第１のネットワークで接続され、検知領域に設けられたセンサが異常を検知した場合に第２のネットワークで接続された通報先に警報を送信する警備装置で実行される警備方法において、
検知情報取得手段によって、前記センサが送出した検知情報および前記センサ識別情報を取得する検知情報取得ステップと、
機器稼動情報取得手段によって、前記機器が稼動中である旨を示す機器稼動情報および前記機器識別情報を前記機器から取得する機器稼動情報取得ステップと、
警報送信手段によって、前記検知情報取得ステップによって前記検知情報および前記センサ識別情報が取得された場合で、かつ、前記検知情報取得ステップによって取得された前記センサ識別情報に対応する、前記センサを識別するセンサ識別情報と前記センサが設けられている警備領域に設けられた機器を識別する機器識別情報とを対応付けて記憶する記憶手段に記憶された前記機器識別情報に応じた前記機器稼動情報を、前記検知情報を取得してから所定時間内に取得した場合に、警報を前記通報先に送信しない警報送信ステップと、
を有することを特徴とする警備方法。
【発明の詳細な説明】
【技術分野】
【０００１】
本発明は、警備装置および警備方法に関する。
【背景技術】
【０００２】
従来、住宅内の状況を確認できるものとして、アラームユニットによりドアの戸締り等を把握し、セレクタスイッチユニットにより照明の消し忘れ等を把握し、これらをドアホン子機において確認できるようにした住宅内情報監視システムが開示されている（特許文献１参照）。
【０００３】
また、近年の警備システムにおいて、外出するなどして警備対象が無人となった場合における警備だけではなく、住人が在宅中の場合においても任意の部屋などを警備する在宅警備も行われている。この在宅警備では、部屋ごとに警備モードまたは警備解除モードを設定できるが、警備モードに設定された部屋に入ろうとする場合、玄関または居間に設置されたコントローラ部のところまで行き、警備解除モードに変更する操作を行わなければならず面倒であった。
【０００４】
このような問題を解決するものとして、警備モード時の監視対象となっている窓などに対して、一時的な警備解除を指示するキャンセルリモコンを備えた警備装置が開示されている（特許文献２）。この警備装置では、警備モードに設定された部屋においてキャンセルリモコンを操作することにより、その場所において、窓などを一時的に警備解除することができる。
【０００５】
【特許文献１】特開平５−３２５０７６号公報
【特許文献２】特開２０００−４８２７６号公報
【発明の開示】
【発明が解決しようとする課題】
【０００６】
上記特許文献１に記載された技術を利用すれば、住宅内の機器が稼動停止していること、および警備用センサが異常を検知していないことを把握でき、外出時において、住宅内に異常がないことを確認できる。しかしながら、外出後に住宅内の機器が稼動することによる誤報を防止することはできなかった。例えば、外出後にエアコンがタイマ設定により稼動を開始し、エアコンから吹き出される温風／冷風を警備用センサが熱量の変化として検知することによる誤報を防止できなかった。
【０００７】
また、上記特許文献２に記載された技術によれば、キャンセルリモコンを利用することでコントローラ部が設置された場所まで移動する煩わしさを軽減できるものの、キャンセルリモコンを携帯するか、各部屋に置くことになるため、キャンセルリモコンの置き場所の確保または置き場所の把握等の必要があり、更なる利便性の向上が求められていた。
【０００８】
本発明は、上記に鑑みてなされたものであって、住宅内の機器の稼動による誤報を防止することができる警備装置および警備方法を提供することを目的とする。また、必要なときに容易に警備解除できる利便性の高い警備装置および警備方法を提供することを目的とする。
【課題を解決するための手段】
【０００９】
上述した課題を解決し、目的を達成するために、請求項１にかかる発明は、機器と第１のネットワークで接続され、検知領域に設けられたセンサが異常を検知した場合に第２のネットワークで接続された通報先に警報を送信する警備装置において、前記検知領域に設けられた機器を識別する機器識別情報と、前記センサを識別するセンサ識別情報とを対応付けて記憶する記憶手段と、前記機器が稼動中である旨を示す機器稼動情報および前記機器識別情報を前記機器から取得する機器稼動情報取得手段と、前記センサが送出する検知情報および前記センサ識別情報を取得する検知情報取得手段と、前記機器稼動情報取得手段によって前記機器稼動情報が取得された場合で、かつ、前記検知情報取得手段によって前記検知情報および前記センサ識別情報が取得され、取得された前記センサ識別情報が前記機器稼動情報取得手段によって取得された前記機器識別情報に対応する前記記憶手段に記憶された前記センサ識別情報と一致するか否かを判断し、一致する場合に、前記検知情報に基づいた警報を送信しない警報送信手段と、を備えることを特徴とする。
【００１０】
また、請求項２にかかる発明は、請求項１に記載の警備装置において、前記警報送信手段は、前記機器稼動情報取得手段によって前記機器稼動情報が取得されなくなった場合で、かつ、前記検知情報取得手段によって前記検知情報が取得された場合は、前記検知情報に基づいた警報を前記通報先に送信すること、を特徴とする。
【００１１】
また、請求項３にかかる発明は、機器と第１のネットワークで接続され、検知領域に設けられたセンサが異常を検知した場合に第２のネットワークで接続された通報先に警報を送信する警備装置において、警備対象を１または複数に区切った領域を示す警備領域と、前記検知領域に設けられた機器を識別する機器識別情報とを対応付けて記憶する記憶手段と、利用者による、前記警備領域ごとに、前記センサが異常を検知した場合に前記通報先に警報を送信する状態を示す警備モード、または前記センサが異常を検知した場合に前記通報先に警報を送信しない状態を示す警備解除モードのいずれかの設定を取得する警備状態取得手段と、前記機器が稼動中である旨を示す機器稼動情報および前記機器識別情報を前記機器から取得する機器稼動情報取得手段と、前記警備領域ごとに、前記警備解除モードまたは前記警備モードのいずれかに切替える警備状態切替手段と、を備え、前記警備状態切替手段は、前記警備状態取得手段によって前記警備領域に対して前記警備モードが取得された場合で、かつ、前記機器稼動情報取得手段によって前記機器稼動情報および前記機器識別情報を取得し、取得された前記機器稼動情報および前記機器識別情報により前記記憶手段に記憶された前記警備領域に対応する前記機器識別情報が示す前記機器が稼動していると判断した場合は、前記警備解除モードから前記警備モードに切替えないこと、を特徴とする。
【００１２】
また、請求項４にかかる発明は、請求項３に記載の警備装置において、前記警備状態切替手段によって前記警備解除モードから前記警備モードに切替えない場合に、前記警備モードへの切替えは不可である旨を報知する報知手段、をさらに備えることを特徴とする。
【００１３】
また、請求項５にかかる発明は、機器と第１のネットワークで接続され、検知領域に設けられたセンサが異常を検知した場合に第２のネットワークで接続された通報先に警報を送信する警備装置において、警備対象を１または複数に区切った領域を示す警備領域と、前記検知領域に設けられた機器を識別する機器識別情報とを対応付けて記憶する記憶手段と、前記機器が稼動中である旨を示す機器稼動情報および前記機器識別情報を前記機器から取得する機器稼動情報取得手段と、前記警備領域ごとに、前記センサが異常を検知した場合に前記通報先に警報を送信する状態を示す警備モードまたは前記センサが異常を検知した場合に前記通報先に警報を送信しない状態を示す警備解除モードのいずれかに切替える警備状態切替手段と、を備え、前記警備状態切替手段は、前記機器稼動情報取得手段によって前記機器稼動情報および前記機器識別情報が取得された場合で、かつ、取得された前記機器識別情報が前記記憶手段に記憶されている場合は、前記機器識別情報に対応する前記記憶手段に記憶された前記警備領域の警備状態を前記警備モードから前記警備解除モードに設定すること、を特徴とする。
【００１４】
また、請求項６にかかる発明は、請求項５に記載の警備装置において、前記警備状態切替手段は、前記機器稼動情報取得手段によって前記機器稼動情報が取得されなくなった場合は、前記警備領域の警備状態を前記警備解除モードから前記警備モードに切替えること、を特徴とする。
【００１５】
また、請求項７にかかる発明は、機器と第１のネットワークで接続され、検知領域に設けられたセンサが異常を検知した場合に第２のネットワークで接続された通報先に警報を送信する警備装置において、前記センサを識別するセンサ識別情報と、前記センサが設けられている警備領域に設けられた機器を識別する機器識別情報とを対応付けて記憶する記憶手段と、前記センサが送出した検知情報および前記センサ識別情報を取得する検知情報取得手段と、前記機器が稼動中である旨を示す機器稼動情報および前記機器識別情報を前記機器から取得する機器稼動情報取得手段と、前記検知情報取得手段によって前記検知情報および前記センサ識別情報が取得された場合で、かつ、前記検知情報取得手段によって取得された前記センサ識別情報に対応する前記記憶手段に記憶された前記機器識別情報に応じた前記機器稼動情報を、前記検知情報を取得してから所定時間内に取得した場合に、警報を前記通報先に送信しない警報送信手段と、を備えることを特徴とする。
【００１６】
また、請求項８にかかる発明は、請求項７に記載の警備装置において、前記警備領域ごとに、前記センサが異常を検知した場合に前記通報先に警報を送信する状態を示す警備モードまたは前記センサが異常を検知した場合に前記通報先に警報を送信しない状態を示す警備解除モードのいずれかに切替える警備状態切替手段と、をさらに備え、前記警備状態切替手段は、前記検知情報取得手段によって前記検知情報および前記センサ識別情報が取得された場合で、かつ、前記検知情報取得手段によって取得された前記センサ識別情報に対応する前記記憶手段に記憶された前記機器識別情報に応じた前記機器稼動情報を、前記検知情報取得手段によって前記検知情報を取得してから所定時間内に取得した場合に、前記警備領域の警備状態を前記警備モードから前記警備解除モードに切替えること、を特徴とする。
【００１７】
また、請求項９にかかる発明は、請求項８に記載の警備装置において、前記警備状態切替手段は、前記機器稼動情報取得手段によって前記機器稼動情報が取得されなくなった場合は、前記警備領域の警備状態を前記警備解除モードから前記警備モードに切替えること、を特徴とする。
【００１８】
また、請求項１０にかかる発明は、請求項７〜９のいずれか一つに記載の警備装置において、前記機器識別情報で示す前記機器が、前記警備領域の出入口近傍に設けられ、点灯または消灯のいずれかを指示するスイッチを備える照明機器であること、を特徴とする。
【００１９】
また、請求項１１にかかる発明は、機器と第１のネットワークで接続され、検知領域に設けられたセンサが異常を検知した場合に第２のネットワークで接続された通報先に警報を送信する警備装置で実行される警備方法において、機器稼動情報取得手段によって、前記機器が稼動中である旨を示す機器稼動情報および前記機器識別情報を前記機器から取得する機器稼動情報取得ステップと、検知情報取得手段によって、前記センサが送出する検知情報および前記センサ識別情報を取得する検知情報取得ステップと、警報送信手段によって、前記機器稼動情報取得ステップによって前記機器稼動情報が取得された場合で、かつ、前記検知情報取得ステップによって前記検知情報および前記センサ識別情報が取得され、取得された前記センサ識別情報が前記機器稼動情報取得ステップによって取得された前記機器識別情報に対応する、前記検知領域に設けられた機器を識別する機器識別情報と前記センサを識別するセンサ識別情報とを対応付けて記憶する記憶手段に記憶された前記センサ識別情報と一致するか否かを判断し、一致する場合に、前記検知情報に基づいた警報を送信しない警報送信ステップと、を有することを特徴とする。
【００２０】
また、請求項１２にかかる発明は、機器と第１のネットワークで接続され、検知領域に設けられたセンサが異常を検知した場合に第２のネットワークで接続された通報先に警報を送信する警備装置で実行される警備方法において、警備状態取得手段によって、前記警備領域ごとに、前記センサが異常を検知した場合に前記通報先に警報を送信する状態を示す警備モード、または前記センサが異常を検知した場合に前記通報先に警報を送信しない状態を示す警備解除モードのいずれかの設定を取得する警備状態取得ステップと、機器稼動情報取得手段によって、前記機器が稼動中である旨を示す機器稼動情報および前記機器識別情報を前記機器から取得する機器稼動情報取得ステップと、警備状態切替手段によって、前記警備領域ごとに、前記警備解除モードまたは前記警備モードのいずれかに切替える警備状態切替ステップと、を有し、前記警備状態切替ステップは、前記警備状態取得ステップによって前記警備領域に対して前記警備モードが取得された場合で、かつ、前記機器稼動情報取得ステップによって前記機器稼動情報および前記機器識別情報を取得し、取得された前記機器稼動情報および前記機器識別情報により、警備対象を１または複数に区切った領域を示す警備領域と前記検知領域に設けられた機器を識別する機器識別情報とを対応付けて記憶する記憶手段に記憶された前記警備領域に対応する前記機器識別情報が示す前記機器が稼動していると判断した場合は、前記警備解除モードから前記警備モードに切替えないこと、を特徴とする。
【００２１】
また、請求項１３にかかる発明は、機器と第１のネットワークで接続され、検知領域に設けられたセンサが異常を検知した場合に第２のネットワークで接続された通報先に警報を送信する警備装置で実行される警備方法において、機器稼動情報取得手段によって、前記機器が稼動中である旨を示す機器稼動情報および前記機器識別情報を前記機器から取得する機器稼動情報取得ステップと、警備状態切替手段によって、前記警備領域ごとに、前記センサが異常を検知した場合に前記通報先に警報を送信する状態を示す警備モードまたは前記センサが異常を検知した場合に前記通報先に警報を送信しない状態を示す警備解除モードのいずれかに切替える警備状態切替ステップと、を有し、前記警備状態切替ステップは、前記機器稼動情報取得ステップによって前記機器稼動情報および前記機器識別情報が取得された場合で、かつ、取得された前記機器識別情報が、警備対象を１または複数に区切った領域を示す警備領域と前記検知領域に設けられた機器を識別する機器識別情報とを対応付けて記憶する記憶手段に記憶されている場合は、前記機器識別情報に対応する前記記憶手段に記憶された前記警備領域の警備状態を前記警備モードから、前記警備解除モードに設定すること、を特徴とする。
【００２２】
また、請求項１４にかかる発明は、機器と第１のネットワークで接続され、検知領域に設けられたセンサが異常を検知した場合に第２のネットワークで接続された通報先に警報を送信する警備装置で実行される警備方法において、検知情報取得手段によって、前記センサが送出した検知情報および前記センサ識別情報を取得する検知情報取得ステップと、機器稼動情報取得手段によって、前記機器が稼動中である旨を示す機器稼動情報および前記機器識別情報を前記機器から取得する機器稼動情報取得ステップと、警報送信手段によって、前記検知情報取得ステップによって前記検知情報および前記センサ識別情報が取得された場合で、かつ、前記検知情報取得ステップによって取得された前記センサ識別情報に対応する、前記センサを識別するセンサ識別情報と前記センサが設けられている警備領域に設けられた機器を識別する機器識別情報とを対応付けて記憶する記憶手段に記憶された前記機器識別情報に応じた前記機器稼動情報を、前記検知情報を取得してから所定時間内に取得した場合に、警報を前記通報先に送信しない警報送信ステップと、を有することを特徴とする。
【発明の効果】
【００２３】
本発明によれば、警備モード中において特定の機器が稼動した場合は、その機器の稼動によりセンサから検知情報が出力されても警報を監視センタに送信しないため、住宅内の機器の稼動による誤報を防止することができるという効果を奏する。
【００２４】
また、本発明によれば、警備モードが設定された警備領域で照明等をＯＮにすることを契機に警備状態を警備解除モードに切替えるため、簡易な操作での警備状態の切替えが可能となり、利用者の利便性を向上することができるという効果を奏する。
【発明を実施するための最良の形態】
【００２５】
以下に添付図面を参照して、本発明にかかる警備装置および警備方法の最良な実施の形態を詳細に説明する。なお、本発明はこれらの実施の形態に限定されるものではない。
【００２６】
（第１の実施の形態）
第１の実施の形態について、添付図面を参照して説明する。まず、本発明が適用される警備装置の構成例について説明する。図１は、第１の実施の形態にかかる警備装置を含む監視システムの構成を示すブロック図である。監視システム１０において、本実施の形態にかかる警備装置１００は、監視センタ２００と、電話回線、無線ネットワーク、インターネットなどのネットワーク３００を介して接続されている。また、警備装置１００は、警備対象内に設置されている照明機器、家電機器および電源から得られる各種情報を取得するホームコントローラ４００と配線で接続されている。なお、図１に示す点線内は、１つの警備先での構成の一例である。
【００２７】
本実施の形態にかかる警備装置１００は、操作パネル１０２と、検知情報取得部１０３と、操作パネル制御部１０４と、機器情報取得部１０５と、警備状態切替部１０６と、送受信部１０７と、警備状態記憶部１０８と、対応データベース１０９とを備えている。また、センサ１０１は、警備装置１００に接続されている。
【００２８】
センサ１０１は、検知領域での異常を検知する。ここで、検知領域とは、センサ１０１が異常を検知できる領域である。センサ１０１は、例えば赤外線の受光量の変化をもとに人を検知する赤外線センサや、マグネット等により扉の開閉を検知する開閉センサなどの検知領域の異常を検知する各種センサである。検知情報取得部１０３は、センサ１０１が異常を検知した際に送出される検知情報および異常を検知したセンサを識別するセンサ識別情報を取得する。
【００２９】
操作パネル１０２は、警備装置１００に関する情報の表示や警備装置１００に対する情報の入力が行われる。また、操作パネル１０２は、メッセージやブザー音等の音声を出力してもよい。操作パネル１０２では、例えば操作パネル１０２に表示されたボタンを押下することによって警備状態が入力される。操作パネル制御部１０４は、操作パネル１０２に対して表示情報や音声情報を出力したり、操作パネル１０２から入力された入力情報を取得する等の操作パネル１０２に対する制御を行う。
【００３０】
機器情報取得部１０５は、警備領域内に設置されている機器、例えばエアコン、ファクシミリ、照明器具、電気ストーブ等のそれぞれが稼動している旨を示す稼動情報および機器それぞれを識別する機器識別情報を取得する。ここで、警備領域とは、警備対象（例えば、戸建住宅や集合住宅、オフィス等）を１または複数に区分した領域であり、警備状態を個々に設定可能な領域である。例えば、戸建住宅の場合は、住人が各部屋や廊下、玄関等のように警備状態を切替えたい領域を警備領域とする。また、オフィスの場合は、部門ごとの部屋を警備領域としてもよい。
【００３１】
また、警備領域ごとに設定できる警備状態には、警備モードと警備解除モードとがある。警備モードとは、センサ１０１が異常を検知して検知情報を送出した場合に、検知領域での異常を知らせる警報をネットワーク３００で接続されている監視センタ２００に送信する状態をいい、警備解除モードとは、センサ１０１が検知情報を送出した場合でも異常を知らせる警報を監視センタ２００に送信しない状態をいう。
【００３２】
警備状態切替部１０６は、操作パネル制御部１０４から警備領域に対する警備状態を取得した場合、警備状態記憶部１０８に警備領域ごとの警備状態を格納する。また、警備状態切替部１０６は、操作パネル制御部１０４から警備領域に対する警備モードの設定を取得した際に、機器情報取得部１０５によって警備領域に設置された機器から稼動情報を取得した場合は警備状態記憶部１０８に警備モードを格納しない。これにより、機器が稼動している場合は警備解除モードから警備モードに切替わらないため、センサが機器の稼動による変化による異常検知、例えばエアコンが温風を噴出した場合に赤外線量が変化して異常を検知するということがなく、誤報を防止することができる。
【００３３】
送受信部１０７は、監視センタ２００とネットワーク３００を介して各種情報を送受信する。送受信部１０７は、検知情報取得部１０３がセンサ１０１からの検知情報を取得した場合で、かつ、警備状態記憶部１０８に記憶された現在の警備状態に“警備モード”が記憶されている場合に、警報を監視センタ２００に送信する。また、送受信部１０７は、センサ１０１から送出された検知情報を取得した場合であっても、機器情報取得部１０５が検知情報を送出したセンサ１０１に対応する機器から稼動情報を取得している場合は、異常であると判断せず、警報を監視センタ２００に送信しない。これにより、センサが機器の稼動により異常を検知した場合は、警報を送信しないため、誤報を防止することができる。
【００３４】
警備状態記憶部１０８は、警備領域ごとの現在の警備状態を記憶する。具体的には、操作パネル１０２から入力され、操作パネル制御部１０４によって取得された警備領域ごとの警備状態を記憶する。図２は、警備状態記憶部のデータ構成の一例を示す説明図である。警備状態記憶部１０８は、警備領域ＩＤ（警備領域識別情報）と、警備状態とを対応付けて記憶している。図２に示すように、警備領域ＩＤ“部屋Ａ”には警備状態“警備モード”が格納されている。
【００３５】
対応データベース１０９は、警備領域と、その警備領域に設置され、センサの検知情報に影響を与える機器と、その警備領域に設置され、機器により検知情報に影響が与えられるセンサを格納する。図３は、対応データベースのデータ構成の一例を示す説明図である。対応データベース１０９は、警備領域ＩＤと、機器ＩＤ（機器識別情報）と、センサＩＤ（センサ識別情報）を対応付けて記憶している。
【００３６】
対応データベース１０９に格納する機器は、稼動することによりセンサが異常を検知するおそれがある機器である。例えば、赤外線センサが設置されている警備領域に、エアコンが設置されている場合は、エアコンが吹き出す温風や冷風によって赤外線センサが異常を検知するおそれがあるため、警備領域ＩＤに対応付けてエアコンのＩＤを格納する。また、赤外線センサが設置されている警備領域に、ファクシミリが設置されている場合は、データを受信した際にファクシミリから出力されるデータが印刷された熱を帯びた用紙によって赤外線センサが異常を検知する可能性があるため、警備領域ＩＤに対応付けてファクシミリのＩＤを格納する。
【００３７】
また、対応データベース１０９に格納するセンサは、機器の稼動によって異常を検知するセンサであり。例えば、エアコンやファクシミリ等の稼動により赤外線量が変化する機器に影響を受けるセンサ、主に赤外線センサである。
【００３８】
監視センタ２００は、警備装置１００から送信された警報を受信し、警報をモニタに表示する。監視センタ２００では、モニタに表示された警報は監視員によって確認され、必要があれば警備装置１００が設置されている現場に警備員を出動させて現況を確認する。監視センタ２００は、本発明にかかる通報先を構成する。なお、通報先を監視センタ２００に代えて利用者が所持している携帯電話等とし、携帯電話等に警報を送信するようにしてもよい。
【００３９】
ホームコントローラ４００は、照明機器４０１−１〜４０１−ｎ、家電機器４０２−１〜４０２−ｎ、電源４０３−１〜４０３−ｎが接続され、それぞれの機器を制御するとともに、それぞれの機器から機器が稼動している旨を示す稼動情報および機器を識別する機器識別情報を受信し、受信した稼動情報および機器識別情報を警備装置１００に送信する。なお、照明機器４０１−１〜４０１−ｎ、家電機器４０２−１〜４０２−ｎが情報家電である場合は、それぞれの機器自体から稼動情報および機器識別情報が送信される。
【００４０】
次に、以上のように構成されている警備装置１００による警備状態切替制御処理について説明する。図４は、操作パネル制御部、機器情報取得部、警備状態切替部が行う警備状態切替制御処理手順を示すフローチャートである。
【００４１】
まず、操作パネル制御部１０４は、操作パネル１０２から入力された警備領域ＩＤと警備状態を取得したか否かを判断する（ステップＳ４０１）。操作パネル１０２から警備領域ＩＤと警備状態を取得していないと判断した場合は（ステップＳ４０１：Ｎｏ）、ステップＳ４０１に戻る。操作パネル１０２から警備領域ＩＤと警備状態を取得したと判断した場合は（ステップＳ４０１：Ｙｅｓ）、操作パネル制御部１０４は警備モードが入力されたか否かを判断する（ステップＳ４０２）。警備モードが入力されていない、すなわち警備解除モードが入力されたと判断した場合は（ステップＳ４０２：Ｎｏ）、警備状態切替部１０６は警備領域ＩＤに対応する警備状態として警備解除モードを警備状態記憶部１０８に格納し（ステップＳ４０３）、ステップＳ４０１に戻る。
【００４２】
警備モードが入力された場合は（ステップＳ４０２：Ｙｅｓ）、警備状態切替部１０６は対応データベース１０９から警備領域ＩＤに対応する機器ＩＤを取得する（ステップＳ４０４）。機器情報取得部１０５は、稼動情報と機器ＩＤを取得したか否かを判断する（ステップＳ４０５）。稼動情報と機器ＩＤを取得したと判断した場合は（ステップＳ４０５：Ｙｅｓ）、警備状態切替部１０６は機器情報取得部１０５が取得した機器ＩＤと警備領域ＩＤに対応する機器ＩＤとが一致するか否かを判断する（ステップＳ４０６）。
【００４３】
機器ＩＤが一致すると判断した場合、すなわちセンサが異常を検知した警備領域に設置された機器が稼動している場合は（ステップＳ４０６：Ｙｅｓ）、警備状態記憶部１０８に警備モードを格納することなく、操作パネル制御部１０４は操作パネルに対して機器の停止の要請と警備モードの設定の無効を出力するよう制御する（ステップＳ４０７）。具体的には、操作パネル１０２に機器の位置を表示するとともに、“機器を停止してください。警備モードの設定は無効になりました。”等のメッセージを操作パネルに表示する。また、文字表示に代えて音声メッセージとして出力してもよい。
【００４４】
また、ステップＳ４０５において、稼動情報と機器ＩＤを取得していないと判断した場合、すなわち稼動している機器がないと判断した場合は（ステップＳ４０５：Ｎｏ）、または、ステップＳ４０６において、機器ＩＤが一致しないと判断した場合、すなわちセンサが異常を検知した警備領域に設置された機器が稼動していない場合は（ステップＳ４０６：Ｎｏ）、警備領域ＩＤに対応する警備状態として警備モードを警備状態記憶部１０８に格納する（ステップＳ４０８）。これにより、その警備領域には警備モードが設定され、警備モードに切替わる。
【００４５】
このように、センサが異常を検知する可能性がある機器が稼動している場合に、センサや機器が設置されている警備領域に対して警備モードを設定できなくすることにより、機器の稼動によってセンサが異常を検知することがないため、誤報を防止することができる。
【００４６】
次に、具体例を用いて警備状態切替制御処理を説明する。図５は、警備領域にセンサや家電機器が設置された一例を示す説明図である。図５に示すように、警備領域５１には、警備領域ＩＤ“部屋Ａ”であり、赤外線センサ１０１−１、開閉センサ１０１−２、１０１−３が設置されている。また、照明機器４０１−１、家電機器としてエアコン４０２−１が設置されている。また、他の警備領域５２には、開閉センサ１０１−４が設置され、照明機器４０１−２、家電機器としてエアコン４０２−２が設置されている。
【００４７】
警備領域５１では、エアコン４０２−１が稼動して温風や冷風が吹き出すことにより、赤外線センサ１０１−１での赤外線受光量が変化するため、異常を検知する場合がある。この場合は、対応データベース１０９に、警備領域５１の警備領域ＩＤ“部屋Ａ”と、機器ＩＤとしてエアコン４０２−１のＩＤとを対応付けて格納する。また、照明機器４０１−１は、稼動していてもセンサ１０１−１の検知情報に影響を与えないので、対応データベース１０９には格納されない。これにより、上述した図４に示すフローチャートによって、警備領域５１に警備モードを設定する場合に（ステップＳ４０２：Ｙｅｓ）、エアコン４０２−１が稼動している場合は、稼動情報とエアコンＩＤが取得されるため（ステップＳ４０６：Ｙｅｓ）、警備領域ＩＤ“部屋Ａ”に対して警備モードを設定しようとするとメッセージが出力され、警備モードに切替えることはできない（ステップＳ４０７）。
【００４８】
また、警備領域５２では、エアコン４０２−２が稼動しても、開閉センサ１０１−４の異常検知には影響を与えないため、対応データベース１０９に、警備領域５２の警備領域ＩＤ“部屋Ｂ”は格納されるが、対応する機器ＩＤは格納されない。これにより、警備領域５２に警備モードを設定する場合に（ステップＳ４０２：Ｙｅｓ）、エアコン４０２−２が稼動し、稼動情報とエアコンＩＤが取得されても（ステップＳ４０５：Ｙｅｓ）、対応データベース１０９の機器ＩＤにエアコン４０２−２のＩＤは格納されていないため、機器ＩＤが一致することはなく（ステップＳ４０６：Ｎｏ）、警備モードに切替えることができる（ステップＳ４０８）。
【００４９】
次に、機器が上述したような情報家電ではなく、一般家電を含めて稼動情報を取得する場合の監視システムの構成について説明する。図６は、本実施の形態にかかる警備装置を含む他の監視システムの構成を示すブロック図である。図６に示すように警備装置１００は、上述したホームコントローラ４００が接続されている。ホームコントローラ４００に情報家電以外の一般機器を接続する場合は、アダプタ４０４を介して接続する。アダプタ４０４は、一般家電と無線または有線で接続され、接続された機器の稼動情報を取得してホームコントローラ４００に送信する。機器の稼動情報は、機器ごとに消費する消費電力量を計測して機器が稼動しているか否かを判断し、稼動情報としても出力する。なお、一般家電が、本監視システムで自己を一意に定める識別情報を送出できない場合は、アダプタ４０４で接続された機器を識別する機器ＩＤを定め、稼動情報とともに送出するようにしてもよい。
【００５０】
また、ホームコントローラ４００を備えず、各機器を警備装置１００に直接接続し、各機器から送出される稼動情報や機器ＩＤを警備装置１００で受信し、警備状態切替制御処理を行ってもよい。図７は、本実施の形態にかかる警備装置を含む他の監視システムの構成を示すブロック図である。図７に示すように本監視システムでは、ホームコントローラを介さずに各機器から送出される機器ごとの稼動情報および機器ＩＤが警備装置１００の機器情報取得部１０５に送出される。このように、警備装置１００がホームコントローラの機能を兼ね備えてもよい。
【００５１】
さらに、図７に示す監視システムにおいて、一般家電を接続する場合は上述した図５に示す監視システムと同様にアダプタ４０４を警備装置１００に介して接続する。図８は、本実施の形態にかかる警備装置を含む他の監視システムの構成を示すブロック図である。図８に示すように本システムでは、ホームコントローラを含まず、一般家電を含んだ監視システムを構成することができる。
【００５２】
次に、以上のように構成されている警備装置１００による警報送信制御処理について説明する。図９は、機器情報取得部、検知情報取得部、送受信部が行う警報送信制御処理手順を示すフローチャートである。
【００５３】
まず、機器情報取得部１０５は、稼動情報と機器ＩＤを取得したか否かを判断する（ステップＳ９０１）。稼動情報と機器ＩＤを取得しないと判断した場合は（ステップＳ９０１：Ｎｏ）、ステップＳ９０３に進む。稼動情報と機器ＩＤを取得したと判断した場合は（ステップＳ９０１：Ｙｅｓ）、対応データベース１０９から機器ＩＤに対応するセンサＩＤを取得する（ステップＳ９０２）。例えば、図３に示す対応データベースにおいて、機器ＩＤ“Ｋ０００１”ならば対応するセンサＩＤ“Ｓ０００１”が取得される。なお、対応データベース１０９に取得した機器ＩＤが格納されていない場合は、センサＩＤは“なし”となる。この場合は、警備領域内でセンサ１０１の検知に影響を与える機器４０１等が存在しないことを意味する。
【００５４】
次に、検知情報取得部１０３は、検知情報とセンサＩＤを取得したか否かを判断する（ステップＳ９０３）。検知情報とセンサＩＤを取得していないと判断した場合は（ステップＳ９０３：Ｎｏ）、ステップＳ９０１に戻り、稼動情報や検知情報を取得するまで取得処理を繰り返す。検知情報とセンサＩＤを取得したと判断した場合は（ステップＳ９０３：Ｙｅｓ）、送受信部１０７が検知情報取得部１０３が取得したセンサＩＤと、対応データベース１０９から取得したセンサＩＤとが一致するか否かを判断する（ステップＳ９０４）。
【００５５】
センサＩＤが一致すると判断した場合は（ステップＳ９０４：Ｙｅｓ）、警報をキャンセルする（ステップＳ９０５）。この場合は、センサ１０１が家電機器４０２等の稼動によって異常を検知したと考えられるため、監視センタ２００に警報を送信しない。センサＩＤが一致しないと判断した場合は（ステップＳ９０４：Ｎｏ）、送受信部１０７は監視センタ２００に警報を送信する（ステップＳ９０６）。この場合は、センサ１０１から検知された検知情報は、家電機器４０２等の影響によって検知されたものではないため、警報を監視センタ２００に送信する。
【００５６】
なお、本フローチャートの処理は、センサが異常を検知した対象警備領域が、警備モードに設定されている場合、実行されるものとする。
【００５７】
このように、センサが異常を検知した場合であっても、センサ付近に設けられた機器が稼動したことによりセンサが異常を検知した場合は、警報を監視センタに送信しないため、誤報を防止することができる。例えば、警備領域にあるエアコンにタイマが設定されている場合で、かつ、警備状態が警備モードである場合は、エアコンから温風または冷風が吹き出すことによりエアコンの稼動情報と機器ＩＤが取得され、赤外線センサがエアコンから温風または冷風による赤外線量の変化で異常を検知するが、センサに対応するエアコンの稼動を判断することができるため、警報を送信することなく、誤報が防止される。また、タイマが設定されている電気ストーブでも同様である。
【００５８】
現実的には、エアコンなどを稼動させたまま警備モードに設定したい場合や、タイマ制御で稼動させたい場合があるが、本フローチャートおよび後述する図１０に示すフローチャートのような処理を行うことにより、そのような場合でも誤報を防止できるようにするものである。
【００５９】
また、警備モードに設定されているオフィス等で、ファクシミリが受信したデータを出力した場合であっても、ファクシミリの稼動情報と機器ＩＤが取得され、機器ＩＤに対応するセンサで異常が検知された場合は、同様に警報が送信されず、誤報を防止することができる。
【００６０】
次に、他の場合の警報送信制御について説明する。図１０は、機器情報取得部、検知情報取得部、送受信部が行う警報送信制御処理手順を示すフローチャートである。
【００６１】
まず、検知情報取得部１０３は、検知情報とセンサＩＤを取得したか否かを判断する（ステップＳ１００１）。検知情報とセンサＩＤを取得していないと判断した場合は（ステップＳ１００１：Ｎｏ）、ステップＳ１００１に戻り、検知情報の取得を繰り返す。検知情報とセンサＩＤを取得したと判断した場合は（ステップＳ１００１：Ｙｅｓ）、検知情報取得部１０３は対応データベース１０９からセンサＩＤを取得する（ステップＳ１００２）。検知情報取得部１０３は、対応データベース１０９にセンサＩＤがあるか否かを判断する（ステップＳ１００３）。なお、対応データベース１０９に取得したセンサＩＤが格納されていない場合は、センサＩＤは“なし”となる。この場合は、警備領域内で機器４０１等から影響を与えられるセンサ１０１が存在しないことを意味する。
【００６２】
対応データベース１０９にセンサＩＤがあると判断した場合、すなわち検知情報を送出したセンサが周辺機器の稼動により異常を検知するセンサである場合は（ステップＳ１００３：Ｙｅｓ）、機器情報取得部１０５が稼動情報と機器ＩＤを取得したか否かを判断する（ステップＳ１００４）。稼動情報と機器ＩＤを取得したと判断した場合は（ステップＳ１００４：Ｙｅｓ）、対応データベース１０９から機器情報取得部１０５が取得した機器ＩＤに対応するセンサＩＤを取得する（ステップＳ１００５）。
【００６３】
送受信部１０７は、検知情報取得部１０３で取得したセンサＩＤと、対応データベース１０９から取得したセンサＩＤとが一致するか否かを判断する（ステップＳ１００６）。センサＩＤが一致すると判断した場合は（ステップＳ１００６：Ｙｅｓ）、警報をキャンセルする（ステップＳ１００７）。この場合は、センサ１０１が家電機器４０２等の稼動によって異常を検知したと考えられるため、監視センタ２００に警報を送信しない。
【００６４】
ステップＳ１００３において、対応データベース１０９にセンサＩＤがないと判断した場合、すなわち検知情報を送出したセンサが周辺機器の稼動により異常を検知することはないセンサである場合は（ステップＳ１００３：Ｎｏ）、または、ステップＳ１００４において、稼動情報と機器ＩＤを取得していないと判断した場合は（ステップＳ１００４：Ｎｏ）、または、ステップＳ１００６において、センサＩＤが一致しないと判断した場合は（ステップＳ１００６：Ｎｏ）、送受信部１０７は監視センタ２００に警報を送信する（ステップＳ１００８）。
【００６５】
このように、センサが異常を検知した場合であっても、機器が稼動することにより、センサが異常を検知したと判断された場合には、警報を監視センタに送信しないため、誤報を防止することができる。
【００６６】
（第２の実施の形態）
第２の実施の形態について、添付図面を参照して説明する。本発明が適用される警備装置を含む監視システムの構成例について、第１の実施の形態と異なる部分を説明する。他の部分については第１の実施の形態と同様であるので、上述した説明を参照し、ここでの説明を省略する。第２の実施の形態にかかる監視システムの構成を示すブロック図は、図１とほぼ同様であるので、図１とその説明を参照し、ここでは異なる部分を説明する。
【００６７】
対応データベースは、照明機器と警備領域を格納する。図１１は、対応データベースのデータ構成の一例を示す説明図である。対応データベース１０９は、照明機器を識別する機器ＩＤと、警備領域を識別する警備領域ＩＤとを対応付けて記憶している。図５に示すように、通常照明機器のスイッチ４０１−１、４０１−２は、警備領域の出入口扉５３、５４近くに配置され、住人であればその位置は熟知している。よって、警備モードが設定されている警備領域の警備を解除する際に、照明スイッチをＯＮすることを警備解除のきっかけとすれば、利用者の利便性が向上する。
【００６８】
次に、以上のように構成されている警備装置による警備状態切替制御処理について説明する。図１２は、機器情報取得部、検知情報取得部、警備状態切替部が行う警備状態切替制御処理手順を示すフローチャートである。
【００６９】
まず、機器情報取得部１０５は、稼動情報と機器ＩＤを取得したか否かを判断する（ステップＳ１２０１）。稼動情報と機器ＩＤを取得していないと判断した場合は（ステップＳ１２０１：Ｎｏ）、ステップＳ１２０１に戻る。稼動情報と機器ＩＤを取得したと判断した場合は（ステップＳ１２０１：Ｙｅｓ）、警備状態切替部１０６は対応データベース１０９から機器ＩＤと警備領域ＩＤを取得する（ステップＳ１２０２）。
【００７０】
警備状態切替部１０６は、対応データベース１０９に格納された機器ＩＤに、機器情報取得部１０５が取得した機器ＩＤが一致するか否かを判断する（ステップＳ１２０３）。機器ＩＤが一致すると判断した場合は（ステップＳ１２０３：Ｙｅｓ）、警備状態切替部１０６は警備状態記憶部１０８から警備領域ＩＤに対応する警備状態を取得する（ステップＳ１２０４）。警備状態切替部１０６は、警備領域ＩＤに対応する警備状態が警備モードであるか否かを判断する（ステップＳ１２０５）。
【００７１】
警備領域ＩＤに対応する警備状態が警備モードであると判断した場合は（ステップＳ１２０５：Ｙｅｓ）、警備状態切替部１０６は警備状態記憶部１０８の警備領域ＩＤに対応する警備状態に警備解除モードを格納する（ステップＳ１２０６）。これにより、照明スイッチがＯＮとされた警備領域の警備状態は、警備解除モードに切替えられたため、これ以降にセンサ１０１が異常を検知しても、監視センタに警報は送信されず、誤報を防ぐことができる。
【００７２】
機器情報取得部１０５は、対象機器の稼動情報を取得しているか否かを判断する（ステップＳ１２０７）。対象機器の稼動情報を取得していると判断した場合、すなわち照明が点灯していると判断した場合は（ステップＳ１２０７：Ｙｅｓ）、ステップＳ１２０７に戻る。対象機器の稼動情報を取得していないと判断した場合、すなわち照明が消灯したと判断した場合は（ステップＳ１２０７：Ｎｏ）、警備状態切替部１０６は警備状態記憶部１０８の警備領域ＩＤに対応する警備状態に警備モードを格納する（ステップＳ１２０８）。これにより、照明スイッチがＯＦＦとされた警備領域の警備状態は、警備モードに切替えられたため、これ以降にセンサ１０１が異常を検知した場合は、監視センタに警報は送信される。
【００７３】
ステップＳ１２０３において、機器ＩＤが一致しないと判断した場合は（ステップＳ１２０３：Ｎｏ）、または、ステップＳ１２０５において、警備領域ＩＤに対応する警備状態が警備モードでないと判断した場合は（ステップＳ１２０５：Ｎｏ）、処理を終了する。
【００７４】
このように、警備モードに設定されている警備領域に住人が入る際に、通常警備領域の出入口扉付近に設置してある照明スイッチをＯＮにして照明機器を稼動させたことをきっかけに、警備状態を警備モードから警備解除モードに切替えるので、住人が在宅している際に特定の警備領域を警備している場合であっても、住人は簡易な操作を行うだけで警備を解除することができるため、警備状態切替操作の利便性が向上する。また、住人の目の届く範囲のみについて警備を解除するため、警備の漏れが生じることもなく、高い防犯性を維持することができる。
【００７５】
さらに、住人が警備領域を退出する際は、警備領域の照明スイッチをＯＦＦにして照明機器の稼動を停止することをきっかけに、警備状態を警備解除モードから警備モードへ復帰させるので、日常的な行動と同じ操作で警備モードへの設定が行われる。よって、警備モードへの操作漏れを防ぎ、高い防犯性を維持することができる。
【００７６】
なお、外部から侵入しようとする者がいても、照明スイッチを操作する前に、窓に設置したセンサによって侵入が検知されるので、簡易な操作で警備状態を警備解除モードに変更できる一方で、防犯性が損なわれることはない。
【００７７】
次に、警備状態切替制御処理の他の実施の形態を説明する。本実施の形態は、上述した警備状態切替制御処理の実施の形態とほぼ同様であるので、異なる部分のみを説明する。
【００７８】
本実施の形態にかかる警備装置１００は、上述した構成に加え、タイマ部を備える。タイマ部は、センサが異常を検知してから経過した時間を計時する。
【００７９】
対応データベースは、センサと警備領域と照明機器を格納する。図１３は、対応データベースのデータ構成の一例を示す説明図である。対応データベース１０９は、センサを識別するセンサＩＤと、警備領域を識別する警備領域ＩＤと、照明機器を識別する機器ＩＤとを対応付けて記憶している。なお、本実施の形態での対応データベース１０９では、上述した実施の形態と異なり、機器の稼動により異常を検知するか否かに関らず警備領域に設置されているすべてのセンサ１０１のセンサＩＤが格納されている。
【００８０】
次に、以上のように構成されている警備装置による警備状態切替制御処理について説明する。図１４は、機器情報取得部、検知情報取得部、警備状態切替部が行う警備状態切替制御処理手順を示すフローチャートである。
【００８１】
まず、検知情報取得部１０３は、検知情報とセンサＩＤを取得したか否かを判断する（ステップＳ１４０１）。検知情報とセンサＩＤを取得していないと判断した場合は（ステップＳ１４０１：Ｎｏ）、ステップＳ１４０１に戻る。検知情報とセンサＩＤを取得したと判断した場合は（ステップＳ１４０１：Ｙｅｓ）、警備状態切替部１０６は対応データベース１０９からセンサＩＤに対応する警備領域ＩＤ、機器ＩＤを取得する（ステップＳ１４０２）。
【００８２】
警備状態切替部１０６は、警備状態記憶部１０８から警備領域ＩＤに対応する警備状態を取得する（ステップＳ１４０３）。警備状態切替部１０６は、警備領域ＩＤに対応する警備状態が警備モードであるか否かを判断する（ステップＳ１４０４）。警備領域ＩＤに対応する警備状態が警備モードでないと判断した場合は（ステップＳ１４０４：Ｎｏ）、処理を終了する。
【００８３】
警備領域ＩＤに対応する警備状態が警備モードであると判断した場合は（ステップＳ１４０４：Ｙｅｓ）、警備状態切替部１０６は対応データベース１０９にセンサＩＤに対応する機器ＩＤが格納されているか否かを判断する（ステップＳ１４０５）。対応データベース１０９にセンサＩＤに対応する機器ＩＤが格納されていると判断した場合は（ステップＳ１４０５：Ｙｅｓ）、タイマ部は計時を開始する（ステップＳ１４０６）。
【００８４】
機器情報取得部１０５は、稼動情報と機器ＩＤを取得したか否かを判断する（ステップＳ１４０７）。稼動情報と機器ＩＤを取得していないと判断した場合は（ステップＳ１４０７：Ｎｏ）、所定時間が経過したか否かを判断する（ステップＳ１４０８）。すなわち、センサが異常を検知してから計時した時間が所定時間を経過したか否かを判断することにより、検知された人が住人か侵入者かを判断することができる。ここで、所定の時間とは、対象機器を照明機器とした場合は、住人が照明スイッチをＯＮにするまでの時間であるため、数秒である。
【００８５】
所定時間が経過していないと判断した場合は（ステップＳ１４０８：Ｎｏ）、ステップＳ１４０７に戻る。ステップＳ１４０７において、稼動情報と機器ＩＤを取得したと判断した場合は（ステップＳ１４０７：Ｙｅｓ）、警備状態切替部１０６は対応データベース１０９に格納されていた機器ＩＤと、機器情報取得部１０５が取得した機器ＩＤが一致するか否かを判断する（ステップＳ１４０９）。
【００８６】
機器ＩＤが一致すると判断した場合は（ステップＳ１４０９：Ｙｅｓ）、送受信部１０７は警報をキャンセルする（ステップＳ１４１０）。すなわち、住人が警備モードが設定してある警備領域に入り、照明スイッチをＯＮにしたものであるから、警報を監視センタ２００に送信しない。さらに、警備状態切替部１０６は、警備状態記憶部１０８のセンサＩＤに対応する警備状態に警備解除モードを格納する（ステップＳ１４１１）。これにより、照明スイッチがＯＮとされた警備領域の警備状態は、警備解除モードに切替えられたため、これ以降にセンサ１０１が異常を検知しても、監視センタに警報は送信されず、誤報を防ぐことができる。
【００８７】
機器情報取得部１０５は、対象機器の稼動情報を取得しているか否かを判断する（ステップＳ１４１２）。対象機器の稼動情報を取得していると判断した場合、すなわち照明が点灯していると判断した場合は（ステップＳ１４１２：Ｙｅｓ）、ステップＳ１４１２に戻る。対象機器の稼動情報を取得していないと判断した場合、すなわち照明が消灯したと判断した場合は（ステップＳ１４１２：Ｎｏ）、警備状態切替部１０６は警備状態記憶部１０８のセンサＩＤに対応する警備状態に警備モードを格納する（ステップＳ１４１３）。これにより、照明スイッチがＯＦＦとされた警備領域の警備状態は、警備モードに切替えられたため、これ以降にセンサ１０１が異常を検知した場合は、監視センタに警報が送信される。
【００８８】
ステップＳ１４０５において、対応データベース１０９にセンサＩＤに対応する機器ＩＤが格納されていないと判断した場合、すなわち異常を検知したセンサは機器の稼動により検知情報に影響を受けないセンサである場合は（ステップＳ１４０５：Ｎｏ）、または、ステップＳ１４０８において、所定時間が経過したと判断した場合は（ステップＳ１４０８：Ｙｅｓ）、または、ステップＳ１４０９において、機器ＩＤが一致しないと判断した場合は（ステップＳ１４０９：Ｎｏ）、送受信部１０７は警報を監視センタ２００に送信する（ステップＳ１４１４）。
【００８９】
なお、本実施の形態では、照明機器の稼動または停止によって警備解除モード・警備モードへの切替えを行なったが、特に照明機器に限定するものではなく、他の家電機器等の稼動または停止をきっかけに警備状態を切替えてもよい。
【００９０】
以上、本発明を第１および第２の実施の形態を用いて説明してきたが、上述した実施の形態に多様な変更または改良を加えることができる。
【００９１】
また、上述した第１の実施の形態、第２の実施の形態、および変形例において説明した構成や機能は、自由に組み合わせることができる。
【図面の簡単な説明】
【００９２】
【図１】第１の実施の形態にかかる警備装置を含む監視システムの構成を示すブロック図である。
【図２】警備状態記憶部のデータ構成の一例を示す説明図である。
【図３】対応データベースのデータ構成の一例を示す説明図である。
【図４】操作パネル制御部、機器情報取得部、警備状態切替部が行う警備状態切替制御処理手順を示すフローチャートである。
【図５】警備領域にセンサや家電機器が設置された一例を示す説明図である。
【図６】本実施の形態にかかる警備装置を含む他の監視システムの構成を示すブロック図である。
【図７】本実施の形態にかかる警備装置を含む他の監視システムの構成を示すブロック図である。
【図８】本実施の形態にかかる警備装置を含む他の監視システムの構成を示すブロック図である。
【図９】機器情報取得部、検知情報取得部、送受信部が行う警報送信制御処理手順を示すフローチャートである。
【図１０】機器情報取得部、検知情報取得部、送受信部が行う警報送信制御処理手順を示すフローチャートである。
【図１１】対応データベースのデータ構成の一例を示す説明図である。
【図１２】機器情報取得部、検知情報取得部、警備状態切替部が行う警備状態切替制御処理手順を示すフローチャートである。
【図１３】対応データベースのデータ構成の一例を示す説明図である。
【図１４】機器情報取得部、検知情報取得部、警備状態切替部が行う警備状態切替制御処理手順を示すフローチャートである。
【符号の説明】
【００９３】
１０  監視システム
１００  警備装置
１０１  センサ
１０２  操作パネル
１０３  検知情報取得部
１０４  操作パネル制御部
１０５  機器情報取得部
１０６  警備状態切替部
１０７  送受信部
１０８  警備状態記憶部
１０９  対応データベース
２００  監視センタ
３００  ネットワーク
４００  ホームコントローラ
４０１  照明機器
４０２  家電機器
４０３  電源
４０４  アダプタ
【図１】
2009015444.tif 000003
【図２】
2009015444.tif 000004
【図３】
2009015444.tif 000005
【図４】
2009015444.tif 000006
【図５】
2009015444.tif 000007
【図６】
2009015444.tif 000008
【図７】
2009015444.tif 000009
【図８】
2009015444.tif 000010
【図９】
2009015444.tif 000011
【図１０】
2009015444.tif 000012
【図１１】
2009015444.tif 000013
【図１２】
2009015444.tif 000014
【図１３】
2009015444.tif 000015
【図１４】
2009015444.tif 000016